(57)【特許請求の範囲】
【請求項１】
ユーザデバイス間の直接通信のためのリソース割り当て方法であって、
第3デバイスによって送信される第1リソースシグナリングを第1ユーザデバイスによって受信するステップであって、前記第1リソースシグナリングが、前記第3デバイスによって決定される第1リソースに関する情報を搬送する、受信するステップと、
前記第1リソースが第2リソースの一部又は全部を含んでいないと決定するとき、前記第1ユーザデバイスによって、第2ユーザデバイスとの通信のために使用されるリソースが、前記第1リソース及び前記第2リソースであるか、又は前記第2リソースであると決定するステップであって、前記第2リソースが、前記第1リソースが決定される前に前記第3デバイスによって決定され、前記第1リソース及び前記第2リソースが共に、前記第1ユーザデバイスと第2ユーザデバイスとの間の通信のために使用される、決定するステップと、
を含む、リソース割り当て方法。
【請求項２】
前記第2ユーザデバイスとの通信のために使用されるリソースが前記第1リソース及び前記第2リソースであると決定されるとき、前記方法は、
前記第1ユーザデバイスによって、予め設定されたタイマーをスタートさせるステップを更に含み、前記タイマーのタイミング持続期間内で前記第2ユーザデバイスとの通信のために使用されるリソースは、前記第1リソース及び前記第2リソースであり、前記タイマーのタイミング持続期間の後に前記第2ユーザデバイスとの通信のために使用されるリソースは前記第1リソースである、請求項1に記載の方法。
【請求項３】
第3デバイスによって送信される第1リソースシグナリングを第1ユーザデバイスによって受信する前記ステップの前に、前記方法は、
前記第3デバイスによって送信される第2リソースシグナリングを前記第1ユーザデバイスによって受信するステップを更に含み、前記第2リソースシグナリングが、前記第2リソースに関する情報を搬送する、請求項1又は2に記載の方法。
【請求項４】
ユーザデバイス間の直接通信のためのリソース割り当て方法であって、
第3デバイスによって送信されるリソースシグナリングを第1ユーザデバイスによって受信するステップであって、前記リソースシグナリングが、前記第3デバイスによって決定される第1リソースに関する情報を搬送し、前記第1リソースが、第2リソースの一部又は全部を含み、前記第2リソースが、前記第1リソースが決定される前に前記第3デバイスによって決定され、前記第1リソース及び前記第2リソースが共に、前記第1ユーザデバイスと第2ユーザデバイスとの間の通信のために使用される、受信するステップと、
前記第1ユーザデバイスによって、前記第1リソースに関する情報に従って、前記第1リソースが前記第2ユーザデバイスとの通信のために使用されると決定するステップと、
を含む、リソース割り当て方法。
【請求項５】
ユーザデバイス間の直接通信のためのリソース割り当て方法であって、
第3デバイスによって第1リソースを決定するステップであって、前記第1リソースが、第2リソースの一部又は全部を含み、前記第2リソースが、前記第1リソースが決定される前に前記第3デバイスによって決定され、前記第1リソース及び前記第2リソースが共に、第1ユーザデバイスと第2ユーザデバイスとの間の通信のために使用される、決定するステップと、
前記第3デバイスによって、リソースシグナリングを前記第1ユーザデバイス及び／又は前記第2ユーザデバイスに送信するステップであって、前記リソースシグナリングが、前記第1リソースに関する情報を搬送する、送信するステップと、
を含む、リソース割り当て方法。
【請求項６】
ユーザデバイスであって、前記ユーザデバイスは、
第3デバイスによって送信される第1リソースシグナリングを受信するように構成される受信モジュールであって、前記第1リソースシグナリングが、前記第3デバイスによって決定される第1リソースに関する情報を搬送する、受信モジュールと、
前記第1リソースが第2リソースの一部又は全部を含んでいないと決定するとき、第2ユーザデバイスとの通信のために使用されるリソースが、前記第1リソース及び前記第2リソースであるか、又は前記第2リソースであると決定するように構成される処理モジュールであって、前記第2リソースが、前記第1リソースが決定される前に前記第3デバイスによって決定され、前記第1リソース及び前記第2リソースが共に、前記ユーザデバイスと前記第2ユーザデバイスとの間の通信のために使用される、処理モジュールと、
を備える、ユーザデバイス。
【請求項７】
前記処理モジュールは、前記第2ユーザデバイスとの通信のために使用されるリソースが前記第1リソース及び前記第2リソースであると決定するとき、予め設定されたタイマーをスタートさせるように更に構成され、前記タイマーのタイミング持続期間内で前記第2ユーザデバイスとの通信のために使用されるリソースは、前記第1リソース及び前記第2リソースであり、前記タイマーのタイミング持続期間の後に前記第2ユーザデバイスとの通信のために使用されるリソースは前記第1リソースである、請求項6に記載のユーザデバイス。
【請求項８】
前記受信モジュールは、前記第3デバイスによって送信される第2リソースシグナリングを受信するように更に構成され、前記第2リソースシグナリングが、前記ユーザデバイスと前記第2ユーザデバイスとの間の通信のために前記第3デバイスによって割り当てられる前記第2リソースに関する情報を搬送する、請求項6又は7に記載のユーザデバイス。
【請求項９】
ユーザデバイス間の直接通信のためのリソース割り当てデバイスであって、
第1リソースを決定するように構成される処理モジュールであって、前記第1リソースが第2リソースの一部又は全部を含み、前記第2リソースが、前記第1リソースが決定される前に前記処理モジュールによって決定され、前記第1リソース及び前記第2リソースが共に、第1ユーザデバイスと第2ユーザデバイスとの間の通信のために使用される、処理モジュールと、
リソースシグナリングを前記第1ユーザデバイス及び／又は前記第2ユーザデバイスに送信するように構成される送信モジュールであって、前記リソースシグナリングが、前記第1リソースに関する情報を搬送する、送信モジュールと、
を備える、リソース割り当てデバイス。
【請求項１０】
ユーザデバイスであって、前記ユーザデバイスは、
第3デバイスによって送信されるリソースシグナリングを受信するように構成される受信モジュールであって、前記リソースシグナリングが、前記第3デバイスによって決定される第1リソースに関する情報を搬送し、前記第1リソースが第2リソースの一部又は全部を含み、前記第2リソースが、前記第1リソースが決定される前に前記第3デバイスによって決定され、前記第1リソース及び前記第2リソースが共に、前記ユーザデバイスと第2ユーザデバイスとの間の通信のために使用される、受信モジュールと、
前記第1リソースに関する情報に従って、前記第1リソースが前記第2ユーザデバイスとの通信のために使用されると決定するように構成される処理モジュールと、
を備える、ユーザデバイス。
【発明の詳細な説明】
【技術分野】
【０００１】
本発明は、移動体通信技術の分野に関し、特にユーザデバイス間の直接通信のためのリソース割り当て方法及びデバイスに関する。
【背景技術】
【０００２】
デバイスツーデバイス・プロキシミティ・サービス（Device to Device Proximity Service、D2D ProSe）は、ロングタームエボリューション（Long Term Evolution、LTE）Rel．12システムの第3世代パートナーシッププロジェクト（The 3rd Generation Partnership Project、3GPP）の研究課題になっていて、Rel．12システムでサポートされ始めている。ユーザデバイス間の直接通信は、信号発見プロセス及び直接通信プロセスを含む。信号発見プロセスは、発見信号を送信すること、及び発見信号を受信することを含む。直接通信プロセスは、コール開始、チャネル測定、チャネルフィードバック、リソーススケジューリング、データ送信、及びコール終了のような一連のプロセスを含む。
【０００３】
先行技術においては、ユーザデバイスが基地局と通信するシナリオでは、ユーザデバイスはチャネル品質を測定して、チャネル品質を基地局にフィードバックし、基地局は、ユーザデバイスのためのリソーススケジューリングを、ユーザデバイスによってフィードバックされたチャネル品質に従って行う。リソーススケジューリングシグナリングを送信するとき、基地局はスケジューリングされた物理リソース上でデータ通信のために必要なパラメータをユーザデバイスに更に送信することができる。このようにして、スケジューリングシグナリングを受信した後、ユーザデバイスは、データ通信を、スケジューリングされたリソース上で行うことができる。
【０００４】
しかしながら、ユーザデバイス間での直接通信のシナリオでは、基地局は、ユーザデバイス間のチャネルの状態に関する情報を学習することができず、従って、ユーザデバイス間の直接通信のために必要なパラメータを学習することができない。ユーザデバイスは、データ通信のために必要なパラメータを決定するために、チャネル測定信号を送信してチャネル状態情報を取得する必要がある。従って、直接通信のためのリソースが変化するとき、チャネル測定を行ってデータ通信のために必要なパラメータを取得するために、ユーザデバイス間で現在行われている通信を中断する必要があり、これはユーザデバイスの直接通信サービスに影響を与える。
【発明の概要】
【課題を解決するための手段】
【０００５】
本発明の実施形態は、ユーザデバイス間の直接通信のためのリソース割り当て方法及びデバイスを提供し、それによって、直接通信のためのリソースが変化するとき、ユーザデバイスの正常な直接通信サービスを保証する。
【０００６】
第1の態様によれば、本発明の1つの実施形態は、ユーザデバイス間の直接通信のためのリソース割り当て方法であって、
第3デバイスによって第1リソースを決定するステップであって、第1リソースが第2リソースの一部又は全部を含み、第2リソースが、前記第1リソースが決定される前に前記第3デバイスによって決定され、前記第1リソース及び前記第2リソースが共に、第1ユーザデバイスと第2ユーザデバイスとの間の通信のために使用される、決定するステップと、
第3デバイスによってリソースシグナリングを前記第1ユーザデバイス及び／又は前記第2ユーザデバイスに送信するステップであって、前記リソースシグナリングが、前記第1リソースに関する情報を搬送する、送信するステップと、
を含む方法を提供する。
【０００７】
第2の態様によれば、本発明の1つの実施形態は、ユーザデバイス間の直接通信のためのリソース割り当て方法であって、
第3デバイスによって送信されるリソースシグナリングを第1ユーザデバイスによって受信するステップであって、前記リソースシグナリングが、前記第3デバイスによって決定される第1リソースに関する情報を搬送し、前記第1リソースが第2リソースの一部又は全部を含み、第2リソースが、前記第1リソースが決定される前に前記第3デバイスによって決定され、前記第1リソース及び前記第2リソースが共に、前記第1ユーザデバイスと第2ユーザデバイスとの間の通信のために使用される、受信するステップと、
前記第1ユーザデバイスによって、前記第1リソースに関する情報に従って、前記第1リソースが、前記第2ユーザデバイスとの通信のために使用されると決定するステップと、
を含む方法を提供する。
【０００８】
第3の態様によれば、本発明の1つの実施形態は、ユーザデバイス間の直接通信のためのリソース割り当て方法であって、
第3デバイスによって送信される第1リソースシグナリングを第1ユーザデバイスによって受信するステップであって、前記第1リソースシグナリングが、前記第3デバイスによって決定される第1リソースに関する情報を搬送する、受信するステップと、
前記第1リソースが第2リソースの一部又は全部を含んでいないと決定するとき、前記第1ユーザデバイスによって、第2ユーザデバイスとの通信のために使用されるリソースが、前記第1リソース及び前記第2リソースであるか、又は前記第2リソースであると決定するステップであって、前記第2リソースが、前記第1リソースが決定される前に前記第3デバイスによって決定され、前記第1リソース及び前記第2リソースが共に、前記第1ユーザデバイスと前記第2ユーザデバイスとの間の通信のために使用される、決定するステップと、
を含む方法を提供する。
【０００９】
第3の態様の第1の可能な実施態様では、前記第2ユーザデバイスとの通信のために使用されるリソースが前記第1リソース及び前記第2リソースであると決定されるとき、前記方法は、
前記第1ユーザデバイスによって、予め設定されたタイマーをスタートさせるステップを更に含み、前記タイマーのタイミング持続期間内で前記第2ユーザデバイスとの通信のために使用される前記リソースは前記第1リソース及び前記第2リソースであり、前記タイマーのタイミング持続期間の後に前記第2ユーザデバイスとの通信のために使用される前記リソースは前記第1リソースである。
【００１０】
第3の態様及び第1の可能な実施態様を参照して、第2の可能な実施態様では、第3デバイスによって送信される第1リソースシグナリングを第1ユーザデバイスによって受信する前記ステップの前に、前記方法は、
前記第3デバイスによって送信される第2リソースシグナリングを前記第1ユーザデバイスによって受信するステップを更に含み、前記第2リソースシグナリングが、前記第2リソースに関する情報を搬送する。
【００１１】
第4の態様によれば、本発明の1つの実施形態は、ユーザ通信のためのリソース割り当てデバイスであって、
第1リソースを決定するように構成される処理モジュールであって、前記第1リソースが第2リソースの一部又は全部を含み、前記第2リソースが、前記第1リソースが決定される前に前記処理モジュールによって決定され、前記第1リソース及び前記第2リソースが共に、第1ユーザデバイスと第2ユーザデバイスとの間の通信のために使用される、処理モジュールと、
リソースシグナリングを前記第1ユーザデバイス及び／又は前記第2ユーザデバイスに送信するように構成される送信モジュールであって、前記リソースシグナリングが、前記第1リソースに関する情報を搬送する、送信モジュールと、
を含むリソース割り当てデバイスを提供する。
【００１２】
第5の態様によれば、本発明の1つの実施形態はユーザデバイスを提供し、前記ユーザデバイスは、
第3デバイスによって送信されるリソースシグナリングを受信するように構成される受信モジュールであって、前記リソースシグナリングが、前記第3デバイスによって決定される第1リソースに関する情報を搬送し、前記第1リソースが第2リソースの一部又は全部を含み、前記第2リソースが、前記第1リソースが決定される前に前記第3デバイスによって決定され、前記第1リソース及び前記第2リソースが共に、前記ユーザデバイスと第2ユーザデバイスとの間の通信のために使用される、受信モジュールと、
前記第1リソースに関する情報に従って、前記第1リソースが前記第2ユーザデバイスとの通信のために使用されると決定するように構成される処理モジュールと、
を含む。
【００１３】
第6の態様によれば、本発明の1つの実施形態はユーザデバイスを提供し、前記ユーザデバイスは、
第3デバイスによって送信される第1リソースシグナリングを受信するように構成される受信モジュールであって、前記第1リソースシグナリングが、前記第3デバイスによって決定される第1リソースに関する情報を搬送する、受信モジュールと、
前記第1リソースが第2リソースの一部又は全部を含んでいないと決定するとき、第2ユーザデバイスとの通信のために使用されるリソースが、前記第1リソース及び前記第2リソースであるか、又は前記第2リソースであると決定するように構成される処理モジュールであって、前記第2リソースが、前記第1リソースが決定される前に前記第3デバイスによって決定され、前記第1リソース及び前記第2リソースが共に、前記ユーザデバイスと前記第2ユーザデバイスとの間の通信のために使用される、処理モジュールと、
を含む。
【００１４】
第6の態様の第1の可能な実施態様では、前記処理モジュールは、前記第2ユーザデバイスとの通信のために使用されるリソースが前記第1リソース及び前記第2リソースであると決定するとき、予め設定されたタイマーをスタートさせるように更に構成され、前記タイマーのタイミング持続期間内で前記第2ユーザデバイスとの通信のために使用されるリソースは前記第1リソース及び前記第2リソースであり、前記タイマーのタイミング持続期間の後に前記第2ユーザデバイスとの通信のために使用される前記リソースは前記第1リソースである。
【００１５】
第6の態様及び第1の可能な実施態様を参照して、第2の可能な実施態様では、前記受信モジュールは、前記第3デバイスによって送信される第2リソースシグナリングを受信するように更に構成され、前記第2リソースシグナリングが、前記ユーザデバイスと前記第2ユーザデバイスとの間の通信のために前記第3デバイスによって割り当てられる前記第2リソースに関する情報を搬送する。
【００１６】
本発明の実施形態は、ユーザデバイス間の直接通信のためのリソース割り当て方法及びデバイスを提供し、これは直接通信のためのリソースが変化するとき、ユーザデバイスの正常な直接通信サービスを保証する。
【００１７】
本発明の実施形態における又は先行技術における技術的解決策をより明確に記載するために、以下に、実施形態を記載するために必要な添付の図面について簡単に説明する。明らかに、以下の説明における添付の図面は、本発明の幾つかの実施形態を示しており、この技術分野の当業者は、創造的労力なしで、これらの添付の図面から他の図面をさらに導き出すことができる。
【図面の簡単な説明】
【００１８】
【図１】本発明により提供されるユーザデバイス間の直接通信のためのリソース割り当て方法の1つの実施形態のフローチャートである。
【図２】本発明により提供されるユーザデバイス間の直接通信のためのリソース割り当て方法の別の実施形態のフローチャートである。
【図３】本発明により提供されるユーザデバイス間の直接通信のためのリソース割り当て方法の更に別の実施形態のフローチャートである。
【図４】本発明により提供されるユーザデバイス間の直接通信のためのリソース割り当てデバイスの1つの実施形態の模式構造図である。
【図５】本発明により提供されるユーザ通信のためのリソース割り当てデバイスの別の実施形態の模式構造図である。
【図６】本発明により提供されるユーザデバイスの1つの実施形態の模式構造図である。
【図７】本発明により提供されるユーザデバイスの別の実施形態の模式構造図である。
【図８】本発明により提供されるユーザデバイスの別の実施形態の模式構造図である。
【図９】本発明により提供されるユーザデバイスの別の実施形態の模式構造図である。
【発明を実施するための形態】
【００１９】
本発明の実施形態の目的、技術的解決策、及び利点をより明確にするために、以下に、本発明の実施形態の技術的解決策が、本発明の実施形態の添付の図面を参照して明確かつ十分に説明される。明らかに、記載される実施形態は、本発明の実施形態のうちの幾つかであり、全てではない。創造的労力なしで、本発明の実施形態に基づいて、この技術分野の当業者によって得られる全ての他の実施形態は、本発明の保護範囲に含まれるものとする。
【００２０】
本明細書において記載される技術は、種々の通信システム、例えば現在の2G及び3G通信システム及び次世代通信システム、例えば移動体通信用グローバルシステム（GSM(登録商標)、Global System for Mobile communications）、符号分割多重接続（CDMA、Code Division Multiple Access）システム、時分割多重接続（TDMA、Time Division Multiple Access）システム、広帯域符号分割多重接続（WCDMA(登録商標)、Wideband Code Division Multiple Access）システム、周波数分割多重接続（FDMA、Frequency Division Multiple Access）システム、直交周波数分割多重接続（OFDMA、Orthogonal Frequency−Division Multiple Access）システム、シングルキャリアFDMA（SC−FDMA）システム、汎用パケット無線サービス（GPRS、General Packet Radio Service）システム、ロングタームエボリューション（LTE、Long Term Evolution）システム、及び他の通信システムに適用することができる。
【００２１】
本願における端末、すなわちユーザ機器は、無線端末又は有線端末とすることができる。無線端末とは、ユーザに音声及び／又はデータ接続を提供するデバイス、無線接続機能を有するハンドヘルドデバイス、又は無線モデムに接続される別の処理デバイスを示すことができる。無線端末は、1つ又はより多くのコアネットワークと、無線アクセスネットワーク（RAN、Radio Access Networkのような）を介して通信することができる。無線端末は、携帯電話機（「セルラー」電話機とも示される）のような移動体端末とすることができ、例えば移動体端末を有するコンピュータは、音声及び／又はデータを無線アクセスネットワークと交換するポータブルの、ポケットサイズの、ハンドヘルドの、コンピュータ内蔵の、又は車載用の移動体装置とすることができる。例えば、それは、パーソナル通信サービス（PCS、Personal Communication Service）電話機、コードレス電話セット、セッション開始プロトコル（SIP）電話機、ワイヤレスローカルループ（WLL、Wireless Local Loop）局、又は携帯情報端末（PDA、Personal Digital Assistant）のようなデバイスとすることができる。無線端末は、システム、加入者ユニット（Subscriber Unit）、加入者局（Subscriber Station）、移動局（Mobile Station）、移動体端末（Mobile）、リモート局（Remote Station）、アクセスポイント（Access Point）、リモート端末（Remote Terminal）、アクセス端末（Access Terminal）、ユーザ端末（User Terminal）、ユーザエージェント（User Agent）、ユーザデバイス（User Device）、又はユーザ機器（User Equipment）と呼ぶこともできる。
【００２２】
本願において現れる基地局（例えば、アクセスポイント）とは、エアインターフェース上の無線端末と1つ又はより多くのセクターを使用することにより通信する、アクセスネットワーク上のデバイスを指す。基地局は、受信する無線フレーム及びIPパケットを相互に変換して、無線端末とアクセスネットワークの残りの部分との間のルータとして機能するように構成することができ、ここで、アクセスネットワークの残りの部分は、インターネットプロトコル（IP）ネットワークを含むことができる。基地局は、エアインターフェースの属性管理を調整することもできる。例えば、基地局は、本願ではこれに限定されないが、GSM(登録商標)又はCDMA内の基地局（BTS、Base Transceiver Station）とすることができ、WCDMA(登録商標)内の基地局（NodeB）とすることもでき、更には、LTE内の発展型ノードB（NodeB、eNB、又はe−NodeB、evolved Node B）とすることができる。
【００２３】
また、「システム」及び「ネットワーク」という用語は、本明細書では交換可能に使用することができる。本明細書における「及び／又は」という用語は、関連付けられる対象物を記載するために関連付け関係のみを記載しており、3つの関係が存在し得ることを表わしている。例えば、A及び／又はBとは、以下の3つの場合、Aのみが存在する、A及びBの両方が存在する、及びBのみが存在する、を表わすことができる。更に、本明細書における「／」という記号は普通、関連付けられる対象物の間の「又は」の関係を指す。
【００２４】
図1は、本発明により提供されるユーザデバイス間の直接通信のためのリソース割り当て方法の1つの実施形態のフローチャートである。図1に示すように、この方法は次を含む。
【００２５】
S101：第3デバイスが第1リソースを決定し、ここで、第1リソースが、第2リソースの一部又は全部を含み、第2リソースが、第1リソースが決定される前に第3デバイスによって決定され、第1リソース及び第2リソースが共に、第1ユーザデバイスと第2ユーザデバイスとの間の通信のために使用される。
【００２６】
S102：第3デバイスがリソースシグナリングを第1ユーザデバイス及び／又は第2ユーザデバイスに送信し、ここで、リソースシグナリングが、第1リソースに関する情報を搬送する。
【００２７】
上述したステップは、第3デバイスによって行われ、ここで、第3デバイスは基地局とすることができ、ユーザデバイスとすることができ、又は第1ユーザデバイス及び第2ユーザデバイスを除く別の種類のデバイスとすることができる。
【００２８】
本実施形態において提供される方法は、第1ユーザデバイスと第2ユーザデバイスとの間の直接通信の実現シナリオに適用することができる。第1リソースは、第1ユーザデバイスと第2ユーザデバイスとの間の通信のために第3デバイスによって現在割り当てられているリソースであり、第2リソースは、第1リソースが割り当てられる前に、第1ユーザデバイスと第2ユーザデバイスとの間の通信のために第3デバイスによって割り当てられるリソースである。第1リソースに関する情報は、第1リソースの周波数領域情報及び／又は時間領域情報などとすることができ、同様に、第2リソースに関する情報も、第2リソースの周波数領域情報及び／又は時間領域情報などとすることができる。
【００２９】
第1リソースは、第2リソースの一部又は全部を含むことができる。以下に、第1リソースが第2リソースの一部を含む例を用いて説明を提供する。第1リソースが割り当てられる前に、第1ユーザデバイスと第2ユーザデバイスとの間の通信のために第3デバイスによって割り当てられる第2リソース（すなわち、現在割り当てられている第1リソースの前の最後の時点で割り当てられている第2リソース）は、リソースA及びリソースBを含む。直接通信に参加する第1ユーザデバイス及び第2ユーザデバイスは共に、リソースA及びリソースBのチャネル状態情報を学習し、第1ユーザデバイス及び第2ユーザデバイスは、直接通信を、リソースA及びリソースB上で行い、従って、直接通信は、リソースA及びリソースB上で行うことができる。第3デバイスが、新規リソースをスケジューリングするとき、第1ユーザデバイスと第2ユーザデバイスとの間の通信のために第3デバイスによって割り当てられる第1リソースは、リソースB及びリソースCを含む。リソースBは、第1リソースが割り当てられる前に第3デバイスによって割り当てられる第2リソースに含まれているだけでなく、第3デバイスによって現在割り当てられている第1リソースにも含まれている。従って、新規リソースCについて、第1ユーザデバイス及び第2ユーザデバイスは、チャネル測定を或る期間について行って、チャネル状態情報を取得する必要がある。しかしながら、この期間の間、第1ユーザデバイス及び第2ユーザデバイスは、中断することなく正常に通信を進行させることを保証するために、直接通信を、リソースBを使用することにより行い続けることができる。
【００３０】
第3デバイスは、リソースシグナリングを第1ユーザデバイス及び第2ユーザデバイスのいずれか又は両方に送信することができる。しかしながら、本実施形態における実現シナリオでは、第1ユーザデバイス及び／又は第2ユーザデバイスがリソースシグナリングを受信した後、第3デバイスによって現在割り当てられている第1リソースが、リソースを第2リソース中に全く含んでいない場合、第3デバイスによって現在割り当てられている第1リソースは、異常設定であると考えることができることに注意すべきである。直接通信はそれでも、第1リソースが割り当てられる前に第3デバイスによって割り当てられる第2リソースを使用することにより、第1ユーザデバイスと第2ユーザデバイスとの間で行うことができる。
【００３１】
本実施形態は、ユーザデバイス間の直接通信のためのリソース割り当て方法を提供し、ここで、第1ユーザデバイスと第2ユーザデバイスとの間の通信のために第3デバイスによって割り当てられる第1リソースは、第1リソースが割り当てられる前に第3デバイスによって割り当てられる第2リソースの一部又は全部を含み、それによって、直接通信のためのリソースが変化するとき、ユーザデバイス間の正常な直接通信サービスが保証される。
【００３２】
図2は、本発明により提供されるユーザデバイス間の直接通信のためのリソース割り当て方法の別の実施形態のフローチャートである。図2に示すように、この方法は次を含む。
【００３３】
S201：第1ユーザデバイスが第3デバイスによって送信されるリソースシグナリングを受信し、ここで、リソースシグナリングが、第3デバイスによって決定される第1リソースに関する情報を搬送し、第1リソースが、第2リソースの一部又は全部を含み、第2リソースが、第1リソースが決定される前に第3デバイスによって決定され、第1リソース及び第2リソースが共に、第1ユーザデバイスと第2ユーザデバイスとの間の通信のために使用される。
【００３４】
S202：第1ユーザデバイスが、第1リソースに関する情報に従って、第1リソースが第2ユーザデバイスとの通信のために使用されると決定する。
【００３５】
上述したステップを本実施形態において実行する第1ユーザデバイスは、直接通信を行う2つのユーザデバイスのいずれかのユーザデバイスとすることができ、すなわち直接通信を行う2つのユーザデバイスは共に、第3デバイスによって送信されるリソースシグナリングを受信することができることに注意すべきである。
【００３６】
S201及びS202については、S101及びS102の関連する記載を参照することができる。第1ユーザデバイスによって受信されるリソースシグナリングにおいて搬送される第1リソースが、第2リソースの一部又は全部を含む場合であって、ここで、第2リソースが、第1リソースが割り当てられる前に第1ユーザデバイスと第2ユーザデバイスとの間の通信のために第3デバイスによって割り当てられる場合に、第1ユーザデバイスは第1リソースを、第1リソースに関する情報に従って使用することができることに注意すべきである。詳細には、以下が含まれる。第1ユーザデバイス及び第2ユーザデバイスがチャネル測定を実行して、新規リソース（これは、含まれている第2リソースを除く第1リソース中の別のリソースを示す）のチャネル状態情報を取得する期間の間、中断することなく正常に通信を進行させることを保証するために、直接通信を、第1リソースに含まれる第2リソースを使用することにより行う。新規リソースのチャネル状態情報がチャネル測定によって取得された後、直接通信は、第1リソースを使用することにより行われる。
【００３７】
本実施形態は、ユーザデバイス間の直接通信のためのリソース割り当て方法を提供し、ここで、第1ユーザデバイスによって受信され、かつ第1ユーザデバイスと第2ユーザデバイスとの間の通信のために第3デバイスによって割り当てられる第1リソースは、第1リソースが割り当てられる前に第3デバイスによって割り当てられる第2リソースの一部又は全部を含み、それによって、直接通信のためのリソースが変化するとき、ユーザデバイス間の正常な直接通信サービスが保証される。
【００３８】
図3は、本発明により提供されるユーザデバイス間の直接通信のためのリソース割り当て方法の更に別の実施形態のフローチャートである。図3に示すように、この方法は次を含む。
【００３９】
S301：第1ユーザデバイスが第3デバイスによって送信される第1リソースシグナリングを受信し、ここで、第1リソースシグナリングが、第3デバイスによって決定される第1リソースに関する情報を搬送する。
【００４０】
S302：第1リソースが第2リソースの一部又は全部を含んでいないと決定するとき、第1ユーザデバイスが、第2ユーザデバイスとの通信のために使用されるリソースが第1リソース及び第2リソースであるか、又は第2リソースであると決定し、ここで、第2リソースが、第1リソースが決定される前に第3デバイスによって決定され、第1リソース及び第2リソースが共に、第1ユーザデバイスと第2ユーザデバイスとの間の通信のために使用される。
【００４１】
上述したステップを本実施形態において実行する第1ユーザデバイスは、直接通信を行う2つのユーザデバイスのいずれかのユーザデバイスとすることができ、すなわち直接通信を行う2つのユーザデバイスは共に、第3デバイスによって送信されるリソースシグナリングを受信することができることに注意すべきである。
【００４２】
第1リソースシグナリングと同様に、第1リソースシグナリングを受信する前に、第1ユーザデバイスは、第3デバイスによって送信される第2リソースシグナリングを受信し、ここで、第2リソースシグナリングが、第1ユーザデバイスと第2ユーザデバイスとの間の通信のために第3デバイスによって割り当てられる第2リソースに関する情報を搬送する。
【００４３】
第3デバイスが、新規リソースを第1ユーザデバイスのためにスケジューリングするとき、第1ユーザデバイスは、第3デバイスによって送信される第1リソースシグナリングを受信し、ここで、第1リソースシグナリングが、第1ユーザデバイスと第2ユーザデバイスとの間の通信のために第3デバイスによって割り当てられる第1リソースに関する情報を搬送する。
【００４４】
第3デバイスによって現在割り当てられている第1リソースが、第1リソースが割り当てられる前に第1ユーザデバイスと第2ユーザデバイスとの間の通信のために第3デバイスによって割り当てられる第2リソースの一部又は全部を含んでいない場合、例えば第3デバイスによって以前に割り当てられている第2リソースは、リソースA及びリソースBであり、現在割り当てられている第1リソースは、リソースC及びリソースDである。この実現シナリオでは、実現可能な実施態様として、第3デバイス、及び第1リソースシグナリングを直接通信で受信するユーザデバイスは、第2ユーザデバイスとの通信のために使用されるリソースが、第1リソース及び第2リソースであるか、又は第2リソースであると決定する。
【００４５】
任意選択で、使用されるべきリソースが第1リソース及び第2リソースであると決定するとき、第1ユーザデバイスは、予め設定されたタイマー（timer）を更にスタートさせることができ、ここで、タイミング持続期間内で第1ユーザデバイスと第2ユーザデバイスとの間の通信のために使用されるリソースは、第1リソース及び第2リソースであり、第2リソースは、タイミング持続期間が経過した後には使用されない。すなわち、第1リソースが割り当てられる前に割り当てられるリソースは、或る期間内でのみ有効である。例えば、第1リソースが割り当てられる前にスケジューリングされるリソースA及びリソースBは、或る期間内でのみ有効であり、タイマーのタイミング持続期間が経過した後は、リソースC及びリソースDのみが、第1ユーザデバイスと第2ユーザデバイスとの間の直接通信のために使用される。タイマーのタイミング持続期間は普通、チャネル測定により、新規リソース（リソースC及びリソースD）のチャネル状態情報を取得するために第1ユーザデバイス及び第2ユーザデバイスによって使用される時間長よりも長くする必要がある。タイマーのタイミング持続期間が経過した後、第2ユーザデバイスとの通信のために使用されるリソースは第1リソースである。
【００４６】
第3デバイスによって現在割り当てられている第1リソースが、第1リソースが割り当てられる前に第1ユーザデバイスと第2ユーザデバイスとの間の通信のために第3デバイスによって割り当てられる第2リソースの一部又は全部を含んでいない場合、別の実現可能な実施態様では、第1ユーザデバイスは、第2ユーザデバイスとの直接通信のために使用されるリソースが第2リソースであると決定する。この実現シナリオでは、第3デバイス、及び第1リソースシグナリングを直接通信で受信するユーザデバイスは、直接通信が、第1リソースが割り当てられる前に第3デバイスによって割り当てられる第2リソースをさらに使用することにより行われると決定する。
【００４７】
本実施形態は、ユーザデバイス間の直接通信のためのリソース割り当て方法を提供する。第3デバイスによって現在割り当てられている第1リソースが、第1リソースが割り当てられる前に第3デバイスによって割り当てられる第2リソースの一部又は全部を含んでいない場合、第2ユーザデバイスとの通信のために使用されるリソースが、第1リソース及び第2リソースであるか、又は第2リソースであると決定され、それによって、直接通信のためのリソースが変化するとき、ユーザデバイス間の正常な直接通信サービスが保証される。
【００４８】
図4は、本発明により提供されるユーザデバイス間の直接通信のためのリソース割り当てデバイスの1つの実施形態の模式構造図である。図4に示すように、デバイスは基地局とすることができ、又はユーザデバイスとすることができ、詳細には、
第1リソースを決定するように構成される処理モジュール41であって、第1リソースが第2リソースの一部又は全部を含み、第2リソースが、第1リソースが決定される前に処理モジュールによって決定され、第1リソース及び第2リソースが共に、第1ユーザデバイスと第2ユーザデバイスとの間の通信のために使用される、処理モジュール41と、
リソースシグナリングを第1ユーザデバイス及び／又は第2ユーザデバイスに送信するように構成される送信モジュール42であって、リソースシグナリングが第1リソースに関する情報を搬送する、送信モジュール42と、を含む。
【００４９】
本発明の本実施形態は、ユーザデバイス間の直接通信のためのリソース割り当てデバイスを提供する。第1ユーザデバイスと第2ユーザデバイスとの間の通信のために割り当てられる第1リソースは、第1リソースが割り当てられる前に第3デバイスによって割り当てられる第2リソースの一部又は全部を含み、それによって、直接通信のためのリソースが変化するとき、ユーザデバイス間の正常な直接通信サービスが保証される。
【００５０】
図5は、本発明により提供されるユーザデバイス間の直接通信のためのリソース割り当てデバイスの別の実施形態の模式構造図である。図5に示すように、デバイスは基地局とすることができ、又はユーザデバイスとすることができ、詳細には、プロセッサ51及び無線周波数トランシーバ52を含み、ここで、プロセッサ51及び無線周波数トランシーバ52は、バスを使用して接続され、ここで、
プロセッサ51は、第1リソースを決定するように構成され、ここで、第1リソースが第2リソースの一部又は全部を含み、第2リソースが、第1リソースが決定される前にプロセッサ51によって決定され、第1リソース及び第2リソースが共に、第1ユーザデバイスと第2ユーザデバイスとの通信のために使用され、
無線周波数トランシーバ52は、リソースシグナリングを第1ユーザデバイス及び／又は第2ユーザデバイスに送信するように構成され、ここで、リソースシグナリングが第1リソースに関する情報を搬送する。
【００５１】
本発明の本実施形態は、ユーザデバイス間の直接通信のためのリソース割り当てデバイスを提供し、ここで、第1ユーザデバイスと第2ユーザデバイスとの間の通信のために割り当てられる第1リソースは、第1リソースが割り当てられる前に第3デバイスによって割り当てられる第2リソースの一部又は全部を含み、それによって、直接通信のためのリソースが変化するとき、ユーザデバイス間の正常な直接通信サービスが保証される。
【００５２】
図6は、本発明により提供されるユーザデバイスの1つの実施形態の模式構造図である。図6に示すように、ユーザデバイスは第1ユーザデバイスであり、詳細には、
第3デバイスによって送信されるリソースシグナリングを受信するように構成される受信モジュール61であって、リソースシグナリングが、第3デバイスによって決定される第1リソースに関する情報を搬送し、第1リソースが、第2リソースの一部又は全部を含み、第2リソースが、第1リソースが決定される前に第3デバイスによって決定され、第1リソース及び第2リソースが共に、第1ユーザデバイスと第2ユーザデバイスとの間の通信のために使用される、受信モジュール61と、
第1リソースに関する情報に従って、第1リソースが、第2ユーザデバイスとの通信のために使用されると決定するように構成される処理モジュール62と、を含む。
【００５３】
本発明の本実施形態はユーザデバイスを提供し、ここで、第3デバイスによって受信され、かつ第1ユーザデバイスと第2ユーザデバイスとの間の通信のために割り当てられる第1リソースは、第1リソースが割り当てられる前に第3デバイスによって割り当てられる第2リソースの一部又は全部を含み、それによって、直接通信のためのリソースが変化するとき、ユーザデバイス間の正常な直接通信サービスが保証される。
【００５４】
図7は、本発明により提供されるユーザデバイスの別の実施形態の模式構造図である。図7に示すように、ユーザデバイスは第1ユーザデバイスであり、詳細には、プロセッサ71と、無線周波数トランシーバ72と、を含み、ここで、プロセッサ71及び無線周波数トランシーバ72は、バスを使用して接続され、ここで、
無線周波数トランシーバ72は、第3デバイスによって送信されるリソースシグナリングを受信するように構成され、ここで、リソースシグナリングが、第3デバイスによって決定される第1リソースに関する情報を搬送し、第1リソースは、第2リソースの一部又は全部を含み、第2リソースは、第1リソースが決定される前に第3デバイスによって決定され、第1リソース及び第2リソースは共に、第1ユーザデバイスと第2ユーザデバイスとの間の通信のために使用され、
プロセッサ71は、第1リソースに関する情報に従って、第1リソースが、第2ユーザデバイスとの通信のために使用されると決定するように構成される。
【００５５】
本発明の本実施形態はユーザデバイスを提供し、ここで、第3デバイスから受信され、かつ第1ユーザデバイスと第2ユーザデバイスとの間の通信のために割り当てられる第1リソースは、第1リソースが割り当てられる前に第3デバイスによって割り当てられる第2リソースの一部又は全部を含み、それによって、直接通信のためのリソースが変化するとき、ユーザデバイス間の正常な直接通信サービスが保証される。
【００５６】
図8は、本発明により提供されるユーザデバイスの別の実施形態の模式構造図である。ユーザデバイスは第1ユーザデバイスであり、詳細には、
第3デバイスによって送信される第1リソースシグナリングを受信するように構成される受信モジュール81であって、第1リソースシグナリングが、第3デバイスによって決定される第1リソースに関する情報を搬送する、受信モジュール81と、
第1リソースが第2リソースの一部又は全部を含んでいないと決定するとき、第2ユーザデバイスとの通信のために使用されるリソースが、第1リソース及び第2リソースであるか、又は第2リソースであると決定するように構成される処理モジュール82であって、第2リソースが、第1リソースが決定される前に第3デバイスによって決定され、第1リソース及び第2リソースが共に、第1ユーザデバイスと第2ユーザデバイスとの間の通信のために使用される、処理モジュール82と、を含む。
【００５７】
処理モジュール82は、第2ユーザデバイスとの通信のために使用されるリソースが第1リソース及び第2リソースであると決定するとき、予め設定されたタイマーをスタートさせるように更に構成することができ、ここで、タイマーのタイミング持続期間内で第2ユーザデバイスとの通信のために使用されるリソースは、第1リソース及び第2リソースであり、タイマーのタイミング持続期間の後に第2ユーザデバイスとの通信のために使用されるリソースは第1リソースである。
【００５８】
任意選択で、受信モジュール81は、第3デバイスによって送信される第2リソースシグナリングを受信するように更に構成することができ、ここで、第2リソースシグナリングが、第1ユーザデバイスと第2ユーザデバイスとの間の通信のために第3デバイスによって割り当てられる第2リソースに関する情報を搬送する。
【００５９】
本実施形態において提供されるユーザデバイスによれば、第3デバイスによって割り当てられる第1リソースが、第1リソースが割り当てられる前に第3デバイスによって割り当てられる第2リソースの一部又は全部を含んでいない場合、ユーザデバイスは、第2ユーザデバイスとの通信のために使用されるリソースが第1リソース及び第2リソースであるか、又は第2リソースであると決定し、それによって、直接通信のためのリソースが変化するとき、ユーザデバイス間の正常な直接通信サービスが保証される。
【００６０】
図9は、本発明により提供されるユーザデバイスの別の実施形態の模式構造図である。ユーザデバイスは第1ユーザデバイスであり、詳細には、プロセッサ91と、無線周波数トランシーバ92と、を含み、ここで、プロセッサ91及び無線周波数トランシーバ92は、バスを使用して接続され、ここで、
無線周波数トランシーバ92は、第3デバイスによって送信される第1リソースシグナリングを受信するように構成され、ここで、第1リソースシグナリングが、第3デバイスによって決定される第1リソースに関する情報を搬送し、
プロセッサ91は、第1リソースが第2リソースの一部又は全部を含んでいないと決定するとき、第2ユーザデバイスとの通信のために使用されるリソースが、第1リソース及び第2リソースであるか、又は第2リソースであると決定するように構成され、第2リソースは、第1リソースが決定される前に第3デバイスによって決定され、第1リソース及び第2リソースは共に、第1ユーザデバイスと第2ユーザデバイスとの間の通信のために使用される。
【００６１】
任意選択で、プロセッサ91は、第2ユーザデバイスとの通信のために使用されるリソースが第1リソース及び第2リソースであると決定するとき、予め設定されたタイマーをスタートさせるように更に構成することができ、ここで、タイマーのタイミング持続期間内で第2ユーザデバイスとの通信のために使用されるリソースは、第1リソース及び第2リソースであり、タイマーのタイミング持続期間の後に第2ユーザデバイスとの通信のために使用されるリソースは第1リソースである。
【００６２】
任意選択で、無線周波数トランシーバ92は、第3デバイスによって送信される第2リソースシグナリングを受信するように更に構成することができ、ここで、第2リソースシグナリングが、第1ユーザデバイスと第2ユーザデバイスとの間の通信のために第3デバイスによって割り当てられる第2リソースに関する情報を搬送する。
【００６３】
本実施形態において提供されるユーザデバイスによれば、第3デバイスによって割り当てられる第1リソースが、第1リソースが割り当てられる前に第3デバイスによって割り当てられる第2リソースの一部又は全部を含んでいない場合、ユーザデバイスは、第2デバイスとの通信のために使用されるリソースが第1リソース及び第2リソースであるか、又は第2リソースであると決定し、それによって、直接通信のためのリソースが変化するとき、ユーザデバイス間の正常な直接通信サービスが保証される。
【００６４】
簡便かつ簡単な説明の目的のために、上述の機能モジュールの分割は、例示のための1つの例として考えられることは、この技術分野の当業者によって明確に理解され得る。実際の適用では、上述した機能は、異なる機能モジュールに割り当てることができ、かつ要求に従って実現することができる、すなわち装置の内部構造は、異なる機能モジュールに分割されて、上述した機能の全部又は一部を実現する。上述したシステム、装置、及びユニットの詳細な動作プロセスについては、上述した方法の実施形態における対応するプロセスを参照することができ、詳細は、ここでは再度説明しない。
【００６５】
本出願において提供される幾つかの実施形態では、開示されたシステム、装置、及び方法は、他の態様で実現することができることを理解すべきである。例えば、記載された装置の実施形態は例示に過ぎない。例えば、モジュール又はユニットの分割は、論理的な機能分割に過ぎず、かつ実際の実現では、他の分割とすることができる。例えば、複数のユニット又はコンポーネントは、別のシステムに組み合わせ、又は一体化することができ、又は幾つかの特徴は無視するか、又は実行しないことができる。また、表示された、又は説明された相互結合、或いは直接結合又は通信接続は、幾つかのインターフェースを介して実現してもよい。装置又はユニットの間の間接結合又は通信接続は、電気的な、機械的な、又は他の形態で実現することができる。
【００６６】
別体部品として記載されたユニットは、物理的に別体とし、又は物理的に別体としないことができ、ユニットとして表示された部品は、物理ユニットとし、又は物理ユニットとしないことができ、1つの位置に設けることができる、又は複数のネットワークユニットに分散させることができる。ユニットの一部又は全部は、実施形態の解決策の目的を達成するための実際の必要性に従って選択することができる。
【００６７】
また、本願の実施形態における機能ユニットは、1つの処理ユニットに一体化することができ、又はユニットの各々は単独で物理的に存在することができる、或いは2つ又はより多くのユニットは1つのユニットに一体化される。一体化されたユニットは、ハードウェアの形態で実現することができ、又はソフトウェア機能ユニットの形態で実現することができる。
【００６８】
一体化されたユニットが、ソフトウェア機能ユニットの形態で実現され、かつ独立の製品として販売又は使用されるとき、一体化されたユニットは、コンピュータ可読記憶媒体に格納することができる。このような理解に基づいて、本願の技術的解決策は、先行技術に本質的に又は部分的に貢献し、又は技術的解決策の全部又は一部は、ソフトウェア製品の形態で実現することができる。ソフトウェア製品は、記憶媒体に格納され、コンピュータデバイス（これは、パーソナルコンピュータ、サーバ、又はネットワークデバイスとすることができる）又はプロセッサに指示して、本願の実施形態における方法のステップの全部又は一部を実行させる幾つかの命令を含む。上述した記憶媒体は、USBフラッシュドライブ、取り外し可能なハードディスク、リードオンリメモリ（ROM、Read−Only Memory）、ランダムアクセスメモリ（RAM、Random Access Memory）、磁気ディスク、又は光ディスクのような、プログラムコードを格納することができる任意の媒体を含む。
【００６９】
上述した実施形態は、本願を限定するためではなく、本願の技術的解決策を記載するために意図されるに過ぎない。本願は、上述した実施形態を参照して詳細に説明されているが、この技術分野の当業者は、本願の実施形態の技術的解決策の思想及び範囲から逸脱せずに、上述した実施形態において記述された技術的解決策に修正を行い、又はそれらのいくつかの技術的特徴に対して等価的な置き換えを行うことができることを理解すべきである。
【符号の説明】
【００７０】
41、62、82  処理モジュール
42  送信モジュール
51、71、91  プロセッサ
52、72、92  無線周波数トランシーバ
61、81  受信モジュール
【図１】
0006035622.tif 000002
【図２】
0006035622.tif 000003
【図３】
0006035622.tif 000004
【図４】
0006035622.tif 000005
【図５】
0006035622.tif 000006
【図６】
0006035622.tif 000007
【図７】
0006035622.tif 000008
【図８】
0006035622.tif 000009
【図９】
0006035622.tif 000010